(57)【要約】【課題】  排水ホースを摺動可能に嵌合係止して排水ホースの先端開口を封止したプラグがハウジング前面に突出しないようにする。【解決手段】 ハウジング１０の前面中間部に設けられた排水ホースの取付構造２０は、ハウジング１０に固定されたホルダ２１の貫通孔２１ａにソケット２２が嵌合されて取りつけられており、ソケット２２の内孔２２ａ内にはハウジング１０の内側から嵌挿された排水ホース１１の先端開口がプラグ１２により封止されており、プラグ１２は、ソケット２２の段付きに拡径した係合突部２２ｂの内側に収容されてハウジング１０の前面から突出しないように取り付けられている。【選択図】    図２
2005291306.tif 000002
【特許請求の範囲】
【請求項１】
飲料の冷却配管等が内蔵される冷却水槽をその内部に収容した飲料供給装置のハウジングの周壁に適宜な高さ位置に設けられた開口と、前記冷却水槽の内部から延出した排水ホースの先端開口に嵌め込まれるプラグと、前記開口に嵌合して取り付けたソケットとを備えて、前記プラグを前記排水ホースの先端開口に嵌め込んだ状態にて同排水ホースの先端部が前記ソケットに同ソケットを着脱可能に嵌合固定されるようにして、前記プラグが前記ハウジングの前面から突出しないようにした飲料供給装置における排水ホースの取付構造。
【請求項２】
前記ソケットには前記排水ホースの先端部が露出する凹部を形成して前記排水ホースとの間に隙間を設けたことを特徴とする請求項１に記載の排水ホースの取付構造。
【請求項３】
飲料の冷却配管等が内蔵される冷却水槽をその内部に収容した飲料供給装置のハウジングの周壁に適宜な高さ位置にてその開口端を外方に向けて固定した筒状のホルダと、前記冷却水槽の内部から延出した排水ホースの先端開口に嵌め込まれるプラグと、前記ホルダに回転可能に嵌合して着脱可能に取り付けたソケットとを備えて、前記プラグを前記排水ホースの先端開口に嵌め込んだ状態にて同排水ホースの先端部が前記ソケットに同ソケットを着脱可能に嵌合固定されるようにして、前記プラグが前記ホルダの内部に収容されて前記ハウジングの前面から突出しないようにした飲料供給装置における排水ホースの取付構造。
【請求項４】
前記ソケットには前記排水ホースが露出する切り欠きを形成し、前記ホルダは前記ソケットの切り欠きと対向する位置に隙間を設けたことを特徴とする請求項３に記載の排水ホースの取付構造。
【発明の詳細な説明】
【技術分野】
【０００１】
本発明は、ホースをハウジングに取り付けるホース取付構造に関する。
【背景技術】
【０００２】
従来、例えば下記の特許文献１に開示されたこの種の飲料供給装置においては、ハウジング内部に設けられた冷却水槽の底部から延出した排水ホースが取り付けられており、該排水ホースの先端開口となる排水口には排水栓が着脱可能に嵌合されている。
【特許文献１】特開２００３−２４６３９８号公報。
【発明の開示】
【発明が解決しようとする課題】
【０００３】
上記した従来の飲料供給装置において排水ホースの排水口に取り付けられた排水栓は、ハウジング前面下部で突出して取り付けられているので、突出した排水栓に当たって、排水栓が抜けて水槽内の冷却水が流出してしまうことがあった。また、ハウジング内部のメンテナンスをするときには、ハウジングのフロントパネルを取り外さなければならないが、ハウジングのフロントパネルの前側で排水栓が固定されているので、排水栓をしたままではフロントパネルを取り外せなくハウジング内部のメンテナンスをするのが不便であった。
【課題を解決するための手段】
【０００４】
本発明は、上記難点を無くすため、飲料の冷却配管等が内蔵される冷却水槽をその内部に収容した飲料供給装置のハウジングの周壁に適宜な高さ位置に設けられた開口と、前記冷却水槽の内部から延出した排水ホースの先端開口に嵌め込まれるプラグと、前記開口に嵌合して取り付けたソケットとを備えて、前記プラグを前記排水ホースの先端開口に嵌め込んだ状態にて同排水ホースの先端部が前記ソケットに同ソケットを着脱可能に嵌合固定されるようにして、前記プラグが前記ハウジングの前面から突出しないようにした飲料供給装置における排水ホースの取付構造を提供するものである。
【０００５】
上記の排水ホースの取付構造においては、排水ホースの先端開口に嵌め込まれたプラグがハウジングの前面から突出しないようになっているので、プラグに引っ掛かってプラグが抜けることがなくなる。また、排水ホースはソケットに着脱可能に嵌合固定されているので排水ホースがハウジング前面から垂れ下がることがなく外観も良くなる。
【０００６】
また、上記のように構成した排水ホースの取付構造においては、前記ソケットには前記排水ホースの先端部が露出する凹部を形成して前記排水ホースとの間に隙間を設ける方が好ましく、このようにすれば排水ホースとの間にできた隙間から指を入れて排水ホースをつまむことができるようになり、ソケットから排水ホースをつまんで引き出しやすくなる。
【０００７】
本発明は、他の実施形態においては、飲料の冷却配管等が内蔵される冷却水槽をその内部に収容した飲料供給装置のハウジングの周壁に適宜な高さ位置にてその開口端を外方に向けて固定した筒状のホルダと、前記冷却水槽の内部から延出した排水ホースの先端開口に嵌め込まれるプラグと、前記ホルダに回転可能に嵌合して着脱可能に取り付けたソケットとを備えて、前記プラグを前記排水ホースの先端開口に嵌め込んだ状態にて同排水ホースの先端部が前記ソケットに同ソケットを着脱可能に嵌合固定されるようにして、前記プラグが前記ホルダの内部に収容されて前記ハウジングの前面から突出しないようにした飲料供給装置における排水ホースの取付構造を提供するものである。
【０００８】
上記の排水ホースの取付構造においては、排水ホースの先端開口に嵌め込まれたプラグがハウジングの前面から突出しないようになっているので、プラグに引っ掛かってプラグが抜けることがなくなる。また、排水ホースはソケットに着脱可能に嵌合固定されているので排水ホースがハウジング前面から垂れ下がることがなく外観も良くなる。さらに、ソケットは、ホルダに着脱可能に嵌合して取り付けられているので、ソケットとともに排水ホースをハウジングから取り外すことができる。
【０００９】
また、上記のように構成した排水ホースの取付構造においては、前記ソケットには前記排水ホースが露出する切り欠きを形成し、前記ホルダは前記ソケットの切り欠きと対向する位置に隙間を設ける方が好ましく、このようにすれば、ソケットから露出した排水ホースをホルダの隙間から指を入れてホースをつまむことができるようになり、ソケットから排水ホースをつまんで引き出しやすくなる。
【発明を実施するための最良の形態】
【００１０】
以下、本発明の最適な実施形態を添付図面を参照して説明する。飲料供給装置の装置本体のハウジング１０は前面が取り外し可能な前面パネル１０ａを備えており、ハウジング１０の内部には、装置本体外から送出される飲料を冷却する飲料冷却管を内部に備える冷却水槽と、冷却水槽の下方に冷却水槽の冷却水を冷却する冷凍装置が設けられている。冷却水槽の底部には冷却水を排出する排水ホース１１が延出するように取り付けられ、排水ホース１１の先端開口となる排水口は、ハウジング１０のフロントパネル１０ａの前面中間部に設けた開口に設けられた排水ホースの取付構造２０に取り付けられている。
【００１１】
排水ホースの取付構造２０は、図１及び図２に示すように、ハウジング１０のフロントパネル１０ａの中間の高さ位置に開口端を外方に向けて固定した筒状のホルダ２１と、ホルダ２１に回転可能に嵌合して着脱可能に取り付けられたソケット２２とから構成される。
【００１２】
ホルダ２１は、図５に示すように、断面形状が小判形をして軸線方向に短い有底の筒状で、ハウジング１０のフロントパネル１０ａの中間部の高さ位置にフロントパネル１０ａの前面から実質的に突出しないように取り付けられている。ホルダ２１の底板の中央部には上部及び下部に扇形の切り欠き２１ｂが形成された円形の貫通孔２１ａが形成されており、ホルダ２１の内周面には貫通孔２１ａの前側となる位置に開口端側から中間部において円弧状に切り欠かれた被係合部２１ｃが形成されている。
【００１３】
ソケット２２は、図２〜図５に示すように、一端側には抜け止めの段部２２ｂが形成され、外径及び内径が段付きに拡径された他端側には水平方向に対向する係合突部２２ｃを残すように円周方向に沿って切り欠き２２ｄが形成された円筒形部材で、ホルダ２１の貫通孔２１ａ内に回転自在に嵌挿されている。ソケット２２は、図４に示すように、一端側の抜け止めの段部２２ｂがホルダ２１の底板後端面に当たって前方へ抜けないようになっているとともに、他端側の係合突部２２ｃがホルダ２１の被係合部２１ｃに係合して後方へ抜けないように嵌合固定されている。
【００１４】
ソケット２２の内孔２２ａ内には冷却水槽の底部から延出した排水ホース１１の先端部がソケット２２の一端側から他端側に向けて挿入されており、排水ホース１１の先端となる排水口にはソケット２２の内孔２２ａ内でプラグ（排水栓）１２が圧入されている。
【００１５】
プラグ１２の頭部はソケット２２の段付きに拡径された係合突部２２ｃの内側に嵌め込まれており、プラグ１２がハウジング１０から突出しないように収容されている。プラグ１２は、頭部がソケット２２の拡径された段部に当たっているので、プラグ１２が圧入された排水ホース１１の先端部がソケット２２の内孔２２ａ内に深く入り込まないようになっている。排水ホース１１の先端開口は、プラグ１２が圧入されることで充分にシールされているが、ソケット２２内で嵌合されて外側から挟み込まれているので、排水ホース１１からプラグ１２が抜けにくくなってより確実にシールがされている。また、ソケット２２の切り欠き２２ｄは垂直方向に対向するように形成されており、断面形状が小判形の筒状をしたホルダ２１にはソケット２２の上下の切り欠き２２ｄの各々上下方向に指が入る大きさの隙間２１ｄ（凹部）があるので、隙間２１ｄに指を入れて切り欠き２２ｄから容易に排水ホース１１をつまむことができるようになっている。
【００１６】
装置本体のハウジング１０の下側底面には、図６に示すように、オーバーフローした冷却水槽の冷却水を受ける受皿３０が設けられている。受皿３０は、装置本体のハウジング１０の下側底面に前後方向に取りつけられた板金製の２本のレール３１にフランジ部３０ａを載せて前後に摺動可能に取りつけられている。ハウジング１０の下側底面の中央部にはハウジング１０内の下部に設けられた冷凍装置をボルトにより取り付け固定するためのナット３２が底面から突出するように設けられている。ナット３２の後方にはナット３２側に向けて下方に傾斜する誘導板金部材３３が取りつけられており、受皿３２の後部が持ち上がったときにナット３２に当たらないようになっている。
【００１７】
受皿３０を引き出すときには、受皿３０のフランジ部３０ａをレール３１に沿って引き出し、また、受皿３０をハウジング１０の下側底面に入れるときには受皿３０のフランジ部３０ａをレール３１に沿って押し込むように入れる。このとき、受皿３０内にオーバーフローした水が溜まった状態で受皿３０を引き出すときには、受皿３０のフランジ部３０ａを持って上方へ持ち上げながら前方へ引き出すため、受皿３０がレール３１から離れて持ち上がったり、図６に示すように、受皿３０を中間部まで引き出したときに受皿３０の後部がレール３１から離れて持ち上がって斜めなってそのまま前方へ引き出すようになることがある。このような状態のまま受皿３０を引き出すと、受皿３０の後部がナット３２に当たり、その衝撃により受皿３０内の水がこぼれたり、受皿３０が破損したりすることがあるが、ナット３２の後方に誘導板金部材３３が設けられているので、受皿３０の後部が誘導板金部材３３によりナット３２に当たらないように下方に誘導されて引き出され、受皿３０内の水がこぼれたり、受皿３０が破損することがない。なお、受皿３０をレール３１に沿ってハウジング１０の下側底面に入れるときには、レール３１に沿って押し込むように入れるだけであるので、受皿３０がナット３２に当たることはない。
【００１８】
上記の排水ホースの取付構造２０の作用を説明する。上記の排水ホースの取付構造２０において、冷却水槽から冷却水を排出するときには、ホルダ２１の隙間２１ｄに指を入れて、ソケット２２の切り欠き２２ｄから露出する排水ホース１１を摘んで前方へ引き出して、プラグ１２を抜いてからバケツ等の容器で冷却水を受ける。このとき、ソケット２２は、一端側の抜け止めのための段部２２ｂがホルダ２１の底板後端面に当たって係止されているのでソケット２２が排水ホース１１とともに抜けることはない。
【００１９】
このように、排水ホース１１を前方に引き出してから排水をすることができるので、ハウジング１０に排水口が取り付けられたものに比べてバケツ等の容器で冷却水を受けやすくなるとともに、冷却水がハウジング１０前面を流れて接地面をぬらすことがなくなる。さらに、排水ホースの取付構造２０は、ハウジング１０の中間部の高さ位置に設けられているので、バケツ等の高さのなる容器で受けることができる。
【００２０】
排水が終了すると、排水ホース１１の先端開口にプラグ１２を圧入して、プラグ１２の圧入された排水ホース１１をソケット２２の内孔２２ａ内に押し込んで嵌合係止し、プラグ１２の頭部がソケット２２の係合突部２２ｃの段付きに拡径された内側に嵌め込まれプラグ１２がハウジング１０の前面から実質的に突出しないように取り付ける。このように、プラグ１２がハウジング１０の前面から実質的に突出しないように取り付けられているのでプラグに引っ掛かってプラグが抜けることがなくなる。
【００２１】
装置本体内部のメンテナンスをするときには、ハウジング１０のフロントパネル１０ａを取り外す。フロントパネル１０ａを取り外すためには、予め排水ホース１１を排水ホースの取付構造２０から取り外しておかなければならない。排水ホース１１を排水ホースの取付構造２０から取り外すときには、排水ホース１１を嵌合係止したソケット２２を９０°軸線回りに回転させると、ホルダ２１の被係合部２１ｃに係合されていたソケット２２の係合突部２２ｃが解離されて、ソケット２２の拡径された係合突部２２ｃがホルダ２１の貫通孔２１ａの上部及び下部に形成された扇形の切り欠き２１ｂを通る位置となり、ソケット２２をハウジング１０内側へ押し込むんでソケット２２とともに排水ホース１１を排水ホースの取付構造２０から取り外すことができる。このとき、排水ホース１１は、プラグ１２を取り外すことなくソケット２２とともに排水ホースの取付構造２０から取り外すことができるので、冷却水槽内から冷却水を排出せずにハウジング１０のフロントパネル１０ａを取り外すことができる。
【００２２】
再び排水ホース１１を排水ホースの取付構造２０に取りつけるときには、排水ホース１１が嵌合されたソケット２２の係合突部２２ｃが垂直方向となるようにしてホルダ２１の貫通孔２１ａの扇形の切り欠き２１ｂの位置に合わせてホルダ２１の後側から貫通孔２１ａに嵌挿し、ソケット２２の一端側の段部２２ａがホルダ２１の底板後端面に当たるまで押し込んでからソケット２２を９０°軸線回りに回転させて、係合突部２２ｃを被係合部２１ｃに係合させて固定する。
【００２３】
上述した実施形態では、排水ホースの取付構造２０は、飲料供給装置の冷却水槽の排水ホース１１をハウジング１０に取りつけるものであるが、本発明はこれに限られるものではなく、例えば製氷機や電解水生成装置のような液体を流出させる機器等で用いる排水ホースまたは給水ホースをハウジングに取り付けるようにしてもよい。
【００２４】
また、本実施形態では、ソケット２２はホルダ２１に嵌合して取り付けられているが、本発明はこれに限られるものではなく、ソケット２２をハウジング１０に設けた開口に直接嵌合して取り付けてもよく、このようにするときには、ハウジング１０に被係合部２１ｃを形成すればソケット２２をハウジング１０に着脱可能に取り付けることができる。
【００２５】
また、本実施形態では、ホルダ２１とソケット２２は、それぞれ別部材としているが、本発明はこれに限られるものではなく、ホルダ２１とソケット２２を一体的に設けてもよく、このようにしたときには、ホース１１をソケット２２とともに排水ホースの取付構造２０から取り外せないようになるが、ホルダ１１を着脱可能にハウジング１０に取り付けることで同様の効果を得ることができる。
【図面の簡単な説明】
【００２６】
【図１】本発明が適用される飲料供給装置の斜視図である。
【図２】本発明に係る排水ホースの取付構造の分解斜視図である。
【図３】本発明に係る排水ホースの取付構造の正面図である。
【図４】本発明に係る排水ホースの取付構造のＡ−Ａ断面図である。
【図５】本発明に係る排水ホースの取付構造のホルダとソケットの斜視図である。
【図６】本発明の飲料供給装置の下部を示す側面図である。
【符号の説明】
【００２７】
１０…ハウジング、１１…排水ホース、１２…プラグ、２０…排水ホースの取付構造、２１…ホルダ、２１ｄ…隙間、２２…ソケット、２２ｄ…切り欠き
【図１】
2005291306.tif 000003
【図２】
2005291306.tif 000004
【図３】
2005291306.tif 000005
【図４】
2005291306.tif 000006
【図５】
2005291306.tif 000007
【図６】
2005291306.tif 000008